(57)【要約】      （修正有）【課題】より簡便に広告を交換することが可能な情報提示パネルを提供する。【解決手段】動画提供装置のディスプレイ画面２２１が視認可能な露出部２４を備えた基材ボード２と、基材ボードに設けられ、広告シート３を差し換え可能に保持するシート保持部４２とを備える。これにより、時刻や状況、ディスプレイ画面に表示される動画広告の内容等にあわせて、情報提示パネルに収容される広告シートを手軽に差し換えることが可能である。【選択図】図２
0003188480.tif 000002
【実用新案登録請求の範囲】
【請求項１】
動画提供装置のディスプレイ画面が視認可能な露出部を備えた基材ボードと、
前記基材ボードに設けられ、広告シートを差し換え可能に保持するシート保持部と、
を備える
ことを特徴とする情報提示パネル。
【請求項２】
請求項１に記載の情報提示パネルであって、
前記シート保持部は、
前記基材ボードの前面を覆う透明な前面カバーに形成され、
前記広告シートは、前記基材ボードと前記前面カバーとの間に抜き挿し自在に収容される
ことを特徴とする情報提示パネル。
【請求項３】
請求項１に記載の情報提示パネルであって、
前記シート保持部は、
前記広告シートに設けられた掛け穴を引っ掛けるピン、又は、
前記広告シートに設けられたピンが引っ掛かかる掛穴、を備える、
ことを特徴とする情報提示パネル。
【請求項４】
請求項１に記載の情報提示パネルであって、
前記シート保持部は、
前記広告シートに設けられた面ファスナーと貼剥自在の面ファスナーを備える
ことを特徴とする情報提示パネル。
【請求項５】
請求項１に記載の情報提示パネルであって、
前記シート保持部は、磁性体、粘着材、又は、吸盤の何れかを備える、
ことを特徴とする情報提示パネル。
【請求項６】
請求項１から５のいずれか一項に記載の情報提示パネルであって、
前記広告シートは、保持された時に前記ディスプレイ画面を視認可能に露出させる窓部を有する
ことを特徴とする情報提示パネル。
【請求項７】
請求項２に記載の情報提示パネルであって、
前記前面カバー及び広告シートは、放音孔を備える
ことを特徴とする情報提示パネル。
【請求項８】
請求項１から７のいずれか一項に記載の情報提示パネルであって、
前記基材ボードは、前記情報提示パネルを吊り下げるための掛穴を備える
ことを特徴とする情報提示パネル。
【請求項９】
請求項１から８のいずれか一項に記載の情報提示パネルであって、
前記基材ボードは、前記情報提示パネルが載置した状態で自立するように形成された支持部を備える
ことを特徴とする情報提示パネル。
【考案の詳細な説明】
【技術分野】
【０００１】
本考案は、広告等の情報を表示する、情報提示パネルに関する。
【背景技術】
【０００２】
現在、広告情報の表示には、多種多様な媒体が用いられている。例えば紙、偏光フィルム等の特殊シート、ディスプレイ装置等は、頻繁に利用される。中でも紙は安価で適用範囲が広く、最も手軽に用いることのできる媒体である。また、ディスプレイ装置は情報の編集が容易であり、更新の手間が掛からないという利点がある。
【０００３】
しかしながら、このような静止広告を提示する紙媒体と、動画広告を提示するディスプレイ装置とを組み合わせて使用する場合、ディスプレイ装置はリアルタイムでその表示内容が変化するため、紙媒体に提示する情報とは内容が一致しない可能性がある。例えば、ディスプレイ装置において提示する商品が時間毎に切り替わる場合、同じ商品を紙媒体で提示するためには、紙媒体をその都度交換する必要がある。この点、紙媒体の自動交換機能を有する装置を使用することも考えられるが、このような装置は概して高価であり、安価であるという紙媒体の利点が失われてしまう。
【０００４】
具体的には、ホームセンターでの器具類の展示場所において、各卸業者や、メーカーが棚割と共に展示ＰＯＰやパネルの交換を任される事がある。このような交換が季節ごと、期間ごとに必要とされた場合には特に時間を要し、営業時間外に変更を余儀なくされるなど、各店舗で行うには大きな労力を要した。
【０００５】
そこで近年では、容易に紙媒体を交換することが可能な情報媒体の開発が進められている。例えば、特許文献１では、磁性シートの一方の面に広告を印刷しておき、当該磁性シートを、磁性体を備える基板に貼り付けることで簡便な交換を可能とする技術が開示されている。
【先行技術文献】
【特許文献】
【０００６】
【特許文献１】特開２００３−３２６８９９号公報
【考案の概要】
【考案が解決しようとする課題】
【０００７】
しかしながら、このような磁性シートを交換するためには、パネルの取り外しや分解、磁性体への接着等、やはりある程度の手間がかかる。よって、ディスプレイ装置と内容をリンクさせる場合などの紙媒体の頻繁な交換が必要となる場面には不向きであった。
【０００８】
そこで本考案は、より簡便に情報媒体を交換することが可能な情報提示パネルを提供することを目的とする。
【課題を解決するための手段】
【０００９】
上記課題を解決するために、本考案の情報提示パネルは、動画提供装置のディスプレイ画面が視認可能な露出部を備えた基材ボードと、前記基材ボードに設けられ、広告シートを差し換え可能に保持するシート保持部と、を備えることを特徴とする。
【００１０】
また、本考案の他の例としては、前記シート保持部は、前記基材ボードの前面を覆う透明な前面カバーに形成され、前記広告シートは、前記基材ボードと前記前面カバーとの間に抜き挿し自在に収容されることを特徴とする。
【００１１】
さらに本考案の他の例では、前記シート保持部は、前記広告シートに設けられた掛け穴を引っ掛けるピン、又は、前記広告シートに設けられたピンが引っ掛かかる掛穴、を備えることを特徴とする。
【００１２】
また、本考案の他の例としては、前記シート保持部は、前記広告シートに設けられた面ファスナーと貼剥自在の面ファスナーを備えることを特徴とする。
【００１３】
さらに本考案の他の例では、前記シート保持部は、磁性体、粘着材、又は、吸盤の何れかを備えることを特徴とする。
【００１４】
さらに本考案の他の例では、前記広告シートは、保持された時に前記ディスプレイ画面を視認可能に露出させる窓部を有することを特徴とする。
【００１５】
また、本考案の他の例としては、前記前面カバー及び広告シートは、放音孔を備えることを特徴とする。
【００１６】
さらに本考案の他の例では、前記基材ボードは、情報提示パネルを吊り下げるための掛穴を備えることを特徴とする。
【００１７】
また、本考案の他の例としては、前記基材ボードは、情報提示パネルが載置した状態で自立するように形成された支持部を備えることを特徴とする。
【考案の効果】
【００１８】
本考案によれば、より簡便に情報媒体を交換することが可能な情報提示パネルを提供できる。
【図面の簡単な説明】
【００１９】
【図１】本考案の一実施形態に係る情報提示パネル１の（ａ）正面図（ｂ）背面図である。
【図２】情報提示パネル１の分解斜視図である。
【図３】情報提示パネル１の背面斜視図である。
【図４】広告シート３と収容フレーム５の正面斜視図である。
【図５】情報提示パネル１の使用方法を説明する説明図である。
【図６】（ａ）（ｂ）広告シート３の具体例を示す説明図である。
【図７】（ａ）本考案の変形例１に係る情報提示パネル１ａの分解斜視図である。（ｂ）本考案の変形例２に係る情報提示パネル１ｂの分解斜視図である。
【考案を実施するための形態】
【００２０】
本考案の実施の形態について、以下、図に基づいて説明する。
【００２１】
図１（ａ）は、本考案の一実施形態に係る情報提示パネル１の正面図、図１（ｂ）は、情報提示パネル１の背面図、図２は、情報提示パネル１の分解図である。図１（ａ）（ｂ）及び図２に示すように、本考案の一態様に係る情報提示パネル１は、動画広告を再生する動画提供装置２２を収容可能な基材ボード２と、静止広告を提示するための広告シート３と、基材ボード２の前面を覆う前面カバー４と、が重なり合って形成されている。なお、ここでは基材ボード２、広告シート３、前面カバー４は、それぞれ略同じ大きさであるものとする。
【００２２】
基材ボード２は、板状部材（例えばスチロール樹脂製の板）であり、背面に動画提供装置２２が取り付けられるようになっている。基材ボード２は、さらに、掛穴１１を形成する貫通孔２１と、情報提示パネル１を支持する支持部２３と、を備えている。
【００２３】
貫通孔２１は、図２に示すように基材ボード２を広告シート３及び前面カバー４と重ねた際に、後述の貫通孔３１及び４１と重なり合う位置に設けられている。従って、情報提示パネル１には、図１（ａ）及び（ｂ）に示すような、表裏を貫通した掛穴１１が提供される。このような掛穴１１にピンや紐、棒等を通すことによって、情報提示パネル１を吊るした状態で利用することができる。特に、生活用品など小物器具の店舗での商品陳列棚においてはフックを用いて商品の陳列を行うことが多く、掛穴１１に陳列棚のフックをそのまま使用することで、陳列棚に違和感なく、簡便に提示することが可能になる。
【００２４】
動画提供装置２２は、情報提示パネル１において動画広告媒体として機能する。具体的に、動画提供装置２２は、例えば一般的なコンピュータ装置であり、その出力装置としてディスプレイ画面２２１及びスピーカ２２２を有している。動画提供装置２２は、例えば、ＳＤカード再生機、ＤＶＤ再生機である。動画提供装置２２は、ディスプレイ画面２２１が基材ボード２の中央付近の開口（露出部）２４から視認可能に露出するように取り付けられる。また、基材ボード２の表面に対して略平坦となるよう固定されている。同様に、ディスプレイ画面２２１の周辺にはスピーカ２２２が形成されており、当該スピーカ２２２も、ボード表面に対して略平坦な構成となっている。
【００２５】
なお、動画提供装置２２は、上記出力装置の他に一般的なコンピュータの主要な装置として、入力装置、記憶装置、演算装置、制御装置、読取装置等を有していてもよい。しかしながら動画提供装置２２は必ずしも一般的なコンピュータ装置でなくともよく、外部のコンピュータ装置から出力信号を受けて画像及び音声を出力する、単なる出力装置であってもよい。ここでは例えば、動画提供装置２２は、遠赤外線などにより外部から音声や画像をコントロールされ、内部メモリや交換メモリカードを読み取って内容をディスプレイ画面２２１に表示する。
【００２６】
図３に、情報提示パネル１の背面斜視図を示す。動画提供装置２２は、動画提供装置収容部２２３に収容されており、容易に取り出し可能である。動画提供装置２２の内部には電子部品等が収められている。また、その一部には、動画提供装置２２の電源をＯＮ／ＯＦＦする電源スイッチ２２４が設けられている。
【００２７】
支持部２３は、情報提示パネル１を商品陳列台などに載置したときに自立させるための支持部材である。このような支持部２３は例えば、紙製や軟質のプラスチック製であり、図１（ｂ）に示すような平板な状態のものを図３のように折って組み立てることで、情報提示パネル１を支持して自立させることができる。
【００２８】
広告シート３は、静止広告を提供するための広告媒体であり、その表面に文字や静止画等を直接記入したり、印刷したりすることによって利用することができる。広告シート３は、掛穴１１を形成するための貫通孔３１と、ディスプレイ画面２２１を視認可能に露出させるための窓部３２と、スピーカ２２２からの音を放出させるための放音孔３３と、を備えている。なお、窓部３２はディスプレイ画面２２１と、放音孔３３はスピーカ２２２と重なり合う位置に形成されている。従って、図２に示すように広告シート３を基材ボード２と重ね合わせると、ディスプレイ画面２２１とスピーカ２２２とが表側から視認可能となる。なお、広告シート３は必ずしも紙媒体である必要はなく、偏光フィルム等の特殊シートや透明シート等であってもよい。
【００２９】
前面カバー４は、基材ボード２の前面を覆う透明の部材である。具体的に、前面カバー４は、例えば軟質のプラスチック製であり、掛穴１１を形成するための貫通孔４１と、左右の側縁及び下縁を折り返したシート保持部４２と、を有している。前面カバー４は、このようなシート保持部４２が基材ボード２に直接貼り付けられることで基材ボード２に固定され、共に収容フレーム５を形成する。前面カバー４には、スピーカ２２２の位置に放音孔４５を備える。図４に、収容フレーム５の正面斜視図を示す。
【００３０】
図４に示すように、収容フレーム５は折り返し構造のシート保持部４２の裏面のみが基材ボード２に接着されているため、上縁が開口して基材ボード２と前面カバー４との間に隙間４４を生じている。この隙間４４に少なくとも１枚の広告シート３を挿し入れることで、収容フレーム５に広告シート３を抜き挿し自在に収容することができる。その際、広告シート３は、前面カバー４のシート保持部４２と平面部４３との間に挟まれるようにして支持されるため、図１（ａ）に示すように、シート保持部４２は広告シート３の背後に隠れる。従って、情報提示パネル１を表側から見た場合、透明な前面カバー４の平面部４３に覆われた広告シート３の全体と、窓部３２及び放音孔３３から覗くディスプレイ画面２２１及びスピーカ２２２のみが視認されることとなる。
【００３１】
次に、このような情報提示パネル１の使用方法について説明する。図５に、情報提示パネル１の使用方法を説明する。図５に示すように、情報提示パネル１は、収容フレーム５に少なくとも１枚の広告シート３を収容可能に形成されている。利用者は、このような広告シート３を隙間４４から抜き挿しすることができ、広告シート３を差し換えることで、静止広告を簡便に入れ替えることができる。
【００３２】
このような広告シート３の入れ替えは、時事性を有する情報や、ディスプレイ画面２２１の表示内容に沿った情報を提示したい場合に、特に有効である。図６（ａ）（ｂ）に、広告シート３の具体例を示す。図示するように、広告シート３には、限られた時間においてのみ有効な「タイムセール中」、「焼きたて」を提示する情報や、商品の名称を提示する情報、値段や割引率を提示する情報、強調する画像情報など従来のＰＯＰ広告等を記載することができる。販売の担当者は、時刻や状況、ディスプレイ画面２２１に表示される動画広告の内容等にあわせて、情報提示パネル１に収容される広告シート３を手軽に差し換えることが可能である。なお、収容フレーム５に複数枚の広告シート３を収容しておけば、これらを捲ることによってより簡便に広告シート３を差し換えられる。また、あらかじめ複数枚を入れておき、時間帯によって表面の広告シートを順番替えすることにより表示を変えても良い。さらに、複数の収容フレーム５に対し、広告シート３を共有することも可能である。
【００３３】
このような構成により、本考案の情報提示パネル１は、簡便に広告シートを差し換えられることで、臨機応変かつ迅速に、効率よく広告情報を変更することが可能となる。
また、効率性が高いために卸業者や、メーカーが直接変更に携わらず、動画表示装置用のメモリカードと広告シートを店舗に供給すれば、ディスプレイを各店舗の従業員に任せる事ができ、手間が省ける。
【００３４】
以上、本考案の一実施形態について説明した。なお、上記の実施形態は、本発明の要旨を例示することを意図し、本考案を限定するものではない。本考案の技術的思想の範囲内でさらなる様々な変形が可能である。また、上記各実施形態における各特徴をそれぞれ組み合わせて用いることもできる。
【００３５】
例えば、上記実施形態では情報提示パネル１は方形であるが、これに限定されず、広告シート３が抜き挿し可能であれば、その他どのような形状であってもよい。
【００３６】
また例えば、シート保持部４２は、必ずしも前面カバー４によって提供される必要はない。図７（ａ）に、本考案の変形例１に係る情報提示パネル１ａの分解斜視図を、図７（ｂ）に、本考案の変形例２に係る情報提示パネル１ｂの分解斜視図を示す。
【００３７】
図７（ａ）に示すように情報提供パネル１ａは、基板ボードの上の２つの隅に直接、シート保持部４２ａが設けられている点で情報提供パネル１とは異なる。このような基盤ボード２ａのシート保持部４２ａは、ここでは掛止用のピンであり、広告シート３ａに形成される掛止用の掛穴であるシート被保持部３４ａを通すことで、基盤ボード２ａに広告シート３ａを掛けて保持することができる。このようなシート保持部４２ａによれば、広告シート３ａを掛け替えるだけで手軽な交換が可能となる。
【００３８】
また、透明な前面カバーを別途設けてもよい。さらに、シート保持部４２ａとシート被保持部３４ａの構成は、逆であってもよい。即ち、基板ボード２ａに掛止用の掛穴であるシート被保持部３４ａを設け、広告シート３ａに掛止用のピンであるシート保持部４２ａを設けてもよい。
【００３９】
図７（ｂ）に示すように情報提供パネル１ｂも同様に、基板ボードの四隅に直接、シート保持部４２ｂが設けられている。このような基盤ボード２ｂのシート保持部４２ｂは、ここでは面ファスナーである。一方、広告シート３ｂの裏側には、シート保持部４２ｂと貼剥自在な面ファスナー（シート保持部４２ｂがフック面であればループ面、又はその逆）であるシート被保持部３４ｂが貼剥対象として形成されている。このようなシート保持部４２ｂに広告シート３ｂのシート被保持部３４ｂを貼り付けることで、基板ボード２ｂに広告シート３ｂを貼り付けて保持することができる。
【００４０】
もちろん、情報提供パネル１ｂにも、透明な前面カバーを別途設けてもよい。また、広告シート３ｂの裏側と表側の両面に構造の異なる面ファスナー（フック面及びループ面）を設け、広告シート３ｂを複数枚重ねて貼着できるようにしてもよい。これにより、目的の広告シート３ｂを最前面に出すことで手軽に交換することができる。なお、広告シート３ｂの両面を利用する際には、両面に同じ構造の面ファスナーを設けてもよい。
【００４１】
なお、シート保持部及びシート被保持部の数や位置は必ずしも上記に限らず、どのような位置にいくつ設けてもよい。また、その構成も上記に限らず、磁性体、粘着剤、吸盤等、貼剥自在であれば、どのような部材を利用してもよい。
【００４２】
また例えば、動画提供装置２２は、必ずしもスピーカ２２２を備えている必要はなく、ディスプレイ画面２２１のみを備えている構成としてもよい。
【００４３】
さらに、基材ボード２、２ａ，２ｂにプライスカードやチラシなどを入れるポケットや、プライスカードなどをぶら下げるフックなどを付けられるようにしても良い。同じように、シート保持部４２や広告シート３ａ、３ｂにもポケットやフックを付けても良い。
【符号の説明】
【００４４】
１・１ａ・１ｂ：情報提示パネル、１１：掛穴、２・２ａ・２ｂ：基材ボード、２１：貫通孔、２２：動画提供装置、２２１：ディスプレイ画面、２２２：スピーカ、２２３：動画提供装置収容部、２２４：電源スイッチ、２３：支持部、２４：開口（露出部）、３・３ａ・３ｂ：広告シート、３１：貫通孔、３２：窓部、３３：放音孔、４：前面カバー、４１：貫通孔、４２・４２ａ・４２ｂ：シート保持部、３４ａ・３４ｂ：シート被保持部、４３：平面部、４４：隙間、４５：放音孔、５：収容フレーム。
【図１】
0003188480.tif 000003
【図２】
0003188480.tif 000004
【図３】
0003188480.tif 000005
【図４】
0003188480.tif 000006
【図５】
0003188480.tif 000007
【図６】
0003188480.tif 000008
【図７】
0003188480.tif 000009